(57)【要約】【課題】画像を出力する際に合成画像のカラーモードに応じて用紙を切替えるため、ページ印字など局所的なプリント合成において、入力画像が白黒で付加されるページ印字部分のみカラーである場合にも、カラー用紙を選択して出力してしまう。【解決手段】本発明の画像処理装置は、第１の画像のカラーモードと第１の画像に付加される第２の画像のカラーモードとを参照して、前記第１の画像に前記第２の画像が合成された合成画像を出力する用紙の種別を決定する。【選択図】図４
2012074998.tif 000002
【特許請求の範囲】
【請求項１】
第１の画像のカラーモードを取得する第１のカラーモード取得手段と、
前記第１の画像に付加される第２の画像のカラーモードを取得する第２のカラーモード取得手段と、
前記第１の画像のカラーモードと前記第２の画像のカラーモードとを参照して、前記第１の画像に前記第２の画像が合成された合成画像を出力する用紙の種別を決定する決定手段と
を備えることを特徴とする画像処理装置。
【請求項２】
前記決定手段は、前記第１の画像のカラーモードと前記第２の画像のカラーモードとが異なる場合に、前記付加される第２の画像の種別に応じて前記用紙の種別を決定することを特徴とする請求項１に記載の画像処理装置。
【請求項３】
前記第２の画像の種別と、該種別の画像に対して使用する用紙の種別と、を関連付けて設定する設定する設定手段をさらに備え、
前記決定手段は、前記設定手段の設定に従って前記用紙の種別を決定することを特徴とする請求項２に記載の画像処理装置。
【請求項４】
前記設定手段は、第２の画像の種別が第１の画像の一部分に付加される画像種別である場合には、前記第１の画像のカラーモードに対応する用紙を用いて印刷することを設定することを特徴とする請求項３に記載の画像処理装置。
【請求項５】
前記設定手段は、第２の画像の種別が第１の画像の全体に付加される画像種別である場合には、前記第２の画像のカラーモードに対応する用紙を用いて印刷することを設定することを特徴とする請求項３に記載の画像処理装置。
【請求項６】
前記決定手段は、前記第１の画像のカラーモードがカラーを示す場合には前記第２の画像のカラーモードを参照することなく前記第１のカラーモードに対応する用紙を決定することを特徴とする請求項１に記載の画像処理装置。
【請求項７】
前記決定手段は、該当する種別の用紙が格納されている給紙段から用紙を給紙させることを決定することを特徴とする請求項１に記載の画像処理装置。
【請求項８】
第１の画像のカラーモードを取得する第１のカラーモード取得ステップと、
前記第１の画像に付加される第２の画像のカラーモードを取得する第２のカラーモード取得ステップと、
前記第１の画像のカラーモードと前記第２の画像のカラーモードとを参照して、前記第１の画像に前記第２の画像が合成された合成画像を出力する用紙の種別を決定する決定ステップと
を備えることを特徴とする画像処理装置の制御方法。
【請求項９】
請求項８に記載の画像処理装置の制御方法をコンピュータに実行させるためのプログラム。
【発明の詳細な説明】
【技術分野】
【０００１】
本発明は、複数の画像を合成して合成した画像を出力する画像処理装置に関するものである。より詳細には、スキャンされて入力される画像またはＰＤＬ（page description language）形式で入力される画像に対して、予め登録された任意の画像、ページ番号、または地紋等を合成して出力する画像処理装置に関する。
【背景技術】
【０００２】
従来から、スキャンされて入力される画像（以下、スキャン入力画像という）及びＰＤＬ形式で入力される画像（以下、ＰＤＬ入力画像という）等の入力画像に対して、任意の画像を合成する機能を有する画像処理装置が知られている。例えば、入力画像に対して、入力されたページ順にページ番号を合成するページ印字合成機能、及び、入力画像に地紋を付加して出力する際に地紋を合成する地紋合成機能等を有する画像処理装置が知られている（特許文献１参照）。これらの入力画像に付加される画像のことを付加画像と称する。
【０００３】
また、入力画像を出力する際にカラーか白黒かといったカラーモードに応じて給紙段を切替えることによりカラー用紙または白黒用紙を自動的に選択する機能を有する画像処理装置が知られている。
【０００４】
このような画像処理装置では、ページ番号や地紋等の付加画像を合成してスキャン入力画像やＰＤＬ入力画像を出力する際に、合成結果に応じて白黒で出力するか又はカラーで出力するかを判定する。すなわち、入力画像または付加画像のどちらか一方にカラーのオブジェクトが含まれていた場合には合成した画像（以下、合成画像という）をカラー画像と判定し、入力画像及び付加画像が共に白黒であった場合には合成画像を白黒画像と判定する。そして、判定結果に応じて給紙段を切替えることによりカラー用紙または白黒用紙を自動的に選択して出力している。
【先行技術文献】
【特許文献】
【０００５】
【特許文献１】特開平１１−０７５０５０号公報
【発明の概要】
【発明が解決しようとする課題】
【０００６】
しかしながら従来の手法においては、出力する際に合成画像がカラー画像か白黒画像かに応じて自動的にカラー用紙と白黒用紙との給紙段を切替えるため、ユーザが本来意図していない用紙を給紙してしまうことがある。例えば、付加画像としてページ番号を印字する等の局所的な画像合成が行われる場合、入力画像が白黒画像であり、かつ、ページ番号印字部のみカラー画像である場合にもカラー用紙を選択して出力してしまう。従って、低コストの白黒用紙が選択されず、ユーザの意図に添わない出力コストが課されるという問題がある。一方、地紋合成等の用紙全体の合成において、付加画像のみがカラー画像で入力画像が白黒画像の場合、合成画像をカラー用紙で出力するか白黒用紙で出力するかはユーザのニーズにより異なる。
【０００７】
本発明は、このような事情を考慮してなされたものであり、合成画像に関してユーザの意図に添った用紙出力を可能とする画像処理装置を提供することを目的とする。
【課題を解決するための手段】
【０００８】
本発明に係る画像処理装置は、第１の画像のカラーモードを取得する第１のカラーモード取得手段と、前記第１の画像に付加される第２の画像のカラーモードを取得する第２のカラーモード取得手段と、前記第１の画像のカラーモードと前記第２の画像のカラーモードとを参照して、前記第１の画像に前記第２の画像が合成された合成画像を出力する用紙の種別を決定する決定手段とを備えることを特徴とする。
【発明の効果】
【０００９】
本発明によれば、合成画像のカラーモードに応じて画像出力をする際にユーザの意図に添った用紙を出力を可能とする。
【図面の簡単な説明】
【００１０】
【図１】本発明の実施形態に係る画像処理装置の構成を示すブロック図である。
【図２】ページ印字の設定画面を説明する図である。
【図３】画像合成機能を説明する図である。
【図４】ページ印字合成画像の印刷制御処理を説明する図である。
【図５】入力画像が白黒モードにおけるカラーページ印字時の給紙段選択画面を説明する図である。
【図６】地紋の設定画面を説明する図である。
【図７】地紋を説明する図である。
【図８】本発明の実施形態に係る地紋合成画像の印刷制御処理を説明する図である。
【図９】入力画像が白黒モードにおけるカラー地紋時の給紙段選択画面を説明する図である。
【図１０】本発明の実施形態に係るページ番号印字出力時に選択される出力用紙を説明する図である。
【図１１】本発明の実施形態に係る地紋出力時に選択される出力用紙を説明する図である。
【発明を実施するための形態】
【００１１】
＜画像処理装置の構成＞
本発明の実施形態に係る画像処理装置の全体構成を、図１を参照しながら説明する。本発明の画像処理装置は、プリンタ１０３やスキャナ１０２を備え、ネットワーク１０４を介して情報処理装置１１０と接続する複合機である場合を例に挙げて説明する。
【００１２】
コントローラ１０１は画像入力デバイスであるスキャナ１０２と、画像出力デバイスであるプリンタ１０３と、記録デバイスであるＨＤＤ記憶部１０７と接続し、一方ではＬＡＮや公衆回線（ＷＡＮ）等のネットワーク１０４と接続する。コントローラ１０１は、画像情報やデバイス情報の入出力及びＰＤＬデータのイメージ展開を行う。なお、コントローラ１０１はネットワーク１０４を介して、情報処理装置１１０と接続することが可能である。
【００１３】
プリンタ１０３には給紙段１０８，１０９が含まれており、プリンタ１０３は給紙段１０８，１０９のいずれかより給紙された用紙を出力する。なお、ここでは説明の便宜上、給紙段が２つ含まれる例を用いて説明するが、給紙する用紙の種別・サイズなどに応じて適宜給紙段の数が異なっていてもよい。
【００１４】
コントローラ１０１内のＣＰＵ１０５は、メモリ１０６に格納されているプログラムに従って各種の処理を実行する。例えばＣＰＵ１０５は、ユーザがページ番号の印刷を選択した場合には図４に記載されたフローチャートの処理を実行し、ユーザが地紋画像の印刷を選択した場合には図８に記載されたフローチャートの処理を実行する。これらの処理の詳細については後述する。
【００１５】
コントローラ１０１内のメモリ１０６はＣＰＵ１０５が動作するためのシステムワークメモリである。また、メモリ１０６は入力画像、付加画像、および合成画像などの画像データを一時記憶するための画像メモリでもある。
【００１６】
ＨＤＤ記憶部１０７はハードディスクドライブであり、付加画像において用いるフォントベクタを格納する。
【００１７】
＜ページ番号印字処理の説明＞
図２は、ページ番号印字印刷に関する設定をおこなうユーザインターフェースの一例を示す図である。
【００１８】
図２の表示は情報処理装置１１０のプリンタドライバ画面や画像処理装置のコントローラ１０１の操作部画面上に表示されるものとする。ユーザによって指定可能な項目は２０１−２０３となっている。２０１はページ番号印字の色指定を行うための設定であり、赤、青、緑、黒等がプルダウンメニューで選択できるようになっている。２０２、２０３はフォントとサイズとがそれぞれプルダウンメニューで指定できるようになっている。以上で設定した項目に従って左側の２０４のプレビュー画面上において、実際に用紙上に出力されるページ番号の印字出力結果があらかじめ確認できるようになっている。もちろん、プルダウンメニュー以外のインタフェースを用いて色などを指定することも可能である。
【００１９】
次に、図３を用いて、ページ番号印字合成処理の概念について説明する。図３の（ａ）にスキャン入力画像やＰＤＬ入力画像といった入力画像である画像Ａ、図３の（ｂ）にページ番号画像の一例を示す。画像Ａと、ＨＤＤ記憶部１０７内のフォントベクタから展開されたページ番号画像とは共に画像処理装置のメモリ１０６上の画像データである。そして、画像の合成を行うようユーザから情報処理装置１１０のプリンタドライバ画面や画像処理装置のコントローラ１０１の操作部画面を介して指示が与えられる。すると、ＣＰＵ１０５は図２で設定したような設定情報を受け取り、その情報を元にＣＰＵ１０５は画像Ａとページ番号画像とを合成する。これにより、ユーザは図３の（ｃ）に示すような合成画像データを得ることが出来る。合成された画像はプリンタ１０３に送られ印刷される。
【００２０】
＜ページ番号印字合成画像の印刷処理の説明＞
図４は本発明の一実施形態に係る、ページ番号印字合成画像の印刷制御処理の詳細を示すフローチャートである。なお、給紙段１０８にはカラー用紙が格納されており、給紙段１０９には白黒用紙が格納されているものとする。図４の処理は、カラーモード値を参照して給紙段を決定する処理を示している。ここで、図４の処理の説明に先立って、図４の前段階の処理について簡単に説明する。まず、画像処理装置のコントローラ１０１は、情報処理装置１１０のプリンタドライバを介して図２の設定画面で設定された設定情報と、ＰＤＬ入力画像とを取得する。前述したとおり、図２の設定画面で設定された設定情報においては、ページ番号画像（付加画像）のカラーモードが設定されている。また、ＰＤＬ入力画像のカラーモードについても同様に、情報処理装置１１０のプリンタドライバを介して画像処理装置のコントローラ１０１に送信される。このように、図２の設定情報のほかに、印刷対象の画像（これは画像処理装置の入力画像となる）をカラー出力するのか、白黒出力するのかをユーザが選択した結果についても画像処理装置のコントローラ１０１に送信される。
【００２１】
次に、コントローラ１０１は、情報処理装置１１０のプリンタドライバを介して送られる情報に付加情報が設定されているか、すなわち本例においてはページ番号を付加するように設定されているかを判定する。ページ番号が付加されていると判定した場合には、コントローラ１０１はメモリ１０６を参照して図３（ｂ）に示すようなページ番号画像がメモリ１０６に格納されているかを判定する。ページ番号がメモリ１０６に格納されていない場合には、上述したようにＨＤＤ記憶部１０７内のフォントベクタから展開されたページ番号画像をメモリ１０６に格納する。図４の処理は、このようにメモリ１０６に入力画像とページ番号画像（付加画像）とが格納された後の処理を示している。
【００２２】
次に、図４の処理の説明を行う。図４のページ番号印字合成画像の印刷制御処理は、画像処理装置のコントローラ１０１のＣＰＵ１０５で行われる。
【００２３】
ステップＳ４０１は、以降の処理でユーザによって設定された入力画像のカラーモード及びページ番号画像のカラーモードを参照する処理が行われることを示している。ステップＳ４０２において、入力画像のカラーモードを参照して入力画像がカラーであるか否かを判定する。この判定は、上述したようにユーザによって設定された値を参照することで行われる。すなわち、入力画像を第１の画像とすると、第１の画像のカラーモード取得処理（第１のカラーモード取得処理）が行われ、取得したカラーモードから第１の画像のカラーモードを判断する。Ｓ４０２において入力画像がカラーモードである場合には、ステップＳ４０６において、カラー用紙が格納されている給紙段１０８からカラー用紙を給紙する。そして、コントローラ１０１で入力画像とページ番号画像の画像合成を行い、合成された画像をプリンタ１０３に送り、印刷する。すなわち、入力画像がカラーモードである場合には、ページ番号画像のカラーモードの判定処理を行わずに、そのままカラー用紙を用いてカラー印刷を行う。これは、入力画像をカラー出力したいと所望するユーザの意図を反映させるためである。なお、どの給紙段にどの種別の用紙が格納されているかは予めユーザによって設定されているものとする。
【００２４】
ここで、入力画像と付加画像（図４ではページ番号画像）の合成処理について簡単に説明する。入力画像と付加画像の合成処理はそれぞれのカラーモードに基づいて行われる。Ｓ４０２からＳ４０６の処理においては、入力画像のカラーモードがカラーであると判定されているので、ＲＧＢ画像がＣＭＹＫ画像に変換される。付加画像については、カラーモードがカラーであればＲＧＢ画像がＣＭＹＫ画像に変換され、カラーモードが白黒であればＫ画像に変換される。これらの変換処理は画像合成の直前で行われる。そして、合成された合成画像がプリンタ１０３から出力されることになる。なお、画素値のダイナミックレンジは０−２５５であり、２５５を越えた場合には２５５とみなされる。
【００２５】
一方、ステップＳ４０２において、入力画像のカラーモードが白黒であった場合には、ステップＳ４０３において、ユーザインターフェースにより設定されたページ番号画像のカラーモードを参照してカラーか白黒かを判定する。すなわち、ページ番号画像を第２の画像とすると、第２の画像のカラーモード取得処理（第２のカラーモード取得処理）が行われ、取得した第２の画像のカラーモードに応じて処理が行われることになる。図２の２０１で黒が設定されている場合には白黒と判定し、その他の色が設定されている場合には、カラーと判定することになる。
【００２６】
Ｓ４０２において、ページ番号画像のカラーモードを参照してページ番号画像が白黒であると判定された場合には、ステップＳ４０５において、白黒用紙が格納されている給紙段１０９から白黒用紙を給紙する。そして、コントローラ１０１で画像合成を行い、合成された画像をプリンタ１０３に送り、印刷する。すなわち、入力画像及び付加画像は、いずれもＲＧＢ画像からＫ画像に変換されて合成される。
【００２７】
ステップＳ４０３において、ページ番号画像のカラーモードがカラーであった場合には、Ｓ４０４において、ユーザによって設定されている給紙段の設定を参照する。例えば図５に示すような、入力画像が白黒モードにおけるカラーのページ番号印字時の給紙段選択画面において、ユーザによって指定された給紙段に応じて該当する給紙段から用紙を給紙する。なお、図５に示すような給紙段の設定については、予めユーザによって行われる。あるいは、印刷時に図５に示すような画面インタフェースを表示して、ユーザによってどの給紙段を使用するかを選択させてもよい。また、図５においては給紙段を選択する例を挙げているが、どの用紙を用いるかについての用紙の種別を選択させてもよい。この場合には、カラー用紙または白黒用紙がどの給紙段に格納されているかの情報を参照して、画像処理装置が適切な給紙段を決定して、用紙を給紙することになる。
【００２８】
用紙が給紙されると、コントローラ１０１で入力画像とページ番号画像の画像合成を行い、合成された画像をプリンタ１０３に送り、印刷する。図５では、白黒用紙が格納されている給紙段１０９を選択している例を示しており、この場合には、図１０に示すようにページ番号画像のカラーモードがカラーであった場合でも白黒用紙が格納されている給紙段１０９から白黒用紙を給紙し印刷する。図１０は、入力画像（第１の画像）のカラーモードと、合成ジョブ（画像種別）と、付加画像（第２の画像）のカラーモードと、出力用紙とが関連付けられたテーブルを示している。コントローラ１０１は、図１０で設定されているテーブルを参照して出力用紙を決定する。また、図５においては、デフォルトが白黒用紙を格納している給紙段１０９となっている例を示している。すなわち、付加画像を第２の画像とすると、第２の画像の種別が入力画像の一部分に付加される画像種別である場合には、入力画像のカラーモードに対応する用紙を用いて印刷することを示している。これは、局所的なカラー画像が付加されているに過ぎないページ番号画像が合成されている場合に高価なカラー用紙を給紙するのはコスト面で無駄になるからである。なお、Ｓ４０２、Ｓ４０３、Ｓ４０４、及びＳ４０５と続く例では、入力画像はＲＧＢ画像からＫ画像に変換される一方、ページ番号画像はＲＧＢ画像からＣＭＹＫ画像に変換される。そして、合成された画像が印刷されることになる。すなわち、白黒用紙が給紙されるが、ページ番号の部分はカラーで印刷されることになる。
【００２９】
なお、本例においては情報処理装置１１０のプリンタドライバを介してＰＤＬ入力画像を用いる例について説明したが、スキャナ１０２を介して得られたスキャン入力画像を用いて上述した処理を行うことも可能である。この場合、ユーザは画像処理装置のコントローラ１０１のインタフェースの画面及び操作部を介して、付加画像のカラーモードの選択を行い、入力画像（読取画像）のカラーモードの選択を行うことになる。
【００３０】
上述のようにページ番号画像のカラーモードがカラーであった場合でも、図５に示す給紙段選択画面において、ユーザが任意の給紙段を選択することが可能となる。従って、カラーページ番号印字においてユーザ所望の用紙を選択して出力することができるようになる。例えば、局所的なカラー画像が合成されているに過ぎないページ番号画像が合成されている場合には、低コストの白黒用紙を給紙して印刷処理を行うことが可能となる。また、デフォルト値として白黒用紙を給紙するように設定されているので、操作が不慣れなユーザに対しても、印刷の目的に応じた適切な用紙を給紙することができる。
【００３１】
＜地紋処理の説明＞
上記においては、ページ番号印字の場合を例に挙げて説明した。一方で、情報処理装置１１０から地紋を設定することや、コントローラ１０１において地紋の設定を行うことが可能である。
【００３２】
図６は、地紋画像印刷に関する設定をおこなうユーザインターフェースの一例を示す図である。図６の表示は情報処理装置１１０のプリンタドライバ画面や画像処理装置のコントローラ１０１の操作部画面上に表示される。
【００３３】
ユーザによって指定可能な項目は６０１−６０６、６０８、６０９となっており、６０１−６０４はチェックボックスで所定の事項を地紋として出力する、または出力しないを設定するようになっている。図６では６０１にチェックがされており、特定文字列が出力されると設定されている。６０１はあらかじめ決められた文字列を出力する場合でプルダウンメニューの中から、「無効」、「Confidential」「コピー禁止」、などの文字列が選択できるようになっている。図７は地紋画像の一例を示す図であり、「無効」の文字列が指定された場合に生成される地紋画像を示している。６０２は任意の文字を指定するもので、右端の入力ボタン６０９を押すとソフトキーボードが表示され任意の文字が入力可能となり、入力した文字がテキストボックス６１０に表示されるようになっている。６０３は操作した日付を出力する場合で、日付情報は装置に内蔵された時計により自動的に取得して表示されるようになっている。６０４は使用しているユーザのユーザＩＤを出力させる場合で、装置にユーザがログインしたときのＩＤコードが自動的に表示される。６０５、６０６、６０８は地紋の出力の形式を指定するもので、ここでは文字列のフォントとサイズと色がプルダウンメニューで指定できるようになっている。一例としては、地紋画像のカラーとして、シアン、ブラック、マゼンタが選べるようになっており、ブラックが指定されている場合にはカラーモードは白黒となり、その他の指定の場合にはカラーモードはカラーとなる。
【００３４】
以上で設定した項目に従って左側の６０７のプレビュー画面上で実際に用紙上に出力される地紋出力結果があらかじめ確認できるようになっている。
【００３５】
６０１−６０４のチェックボックスのうちひとつでもチェックが入っている場合には、設定パラメータである属性データは、「地紋あり」となる。この属性データは、画像処理装置のコントローラ１０１に送られる。
【００３６】
画像に対し地紋印刷を行うよう情報処理装置１１０のプリンタドライバ画面や画像処理装置のコントローラ１０１の操作部画面上からユーザによって指定されると、コントローラ１０１のＣＰＵ１０５は図６に示すような設定がされた設定情報を受け取る。そして、その情報を元にＣＰＵ１０５を用いて地紋画像を生成し、ＣＰＵ１０５を用いて入力画像と地紋画像とが合成され、合成された画像はプリンタ１０３に送られ印刷される。なお、地紋画像の生成処理や地紋画像と入力画像との合成処理については、公知の技術を用いて行うことが可能であり、ここでは詳細な説明は省略する。
【００３７】
次に図８を用いて、地紋画像を合成する場合の印刷制御処理を施す際の処理フローを、て説明する。なお、前述のとおり給紙段１０８にはカラー用紙が格納されており、給紙段１０９には白黒用紙が格納されているものとする。図８に示す処理はコントローラ１０１のＣＰＵ１０５で実行される。
【００３８】
ここで、図８の処理においても、図４の処理の部分で説明したように各種の前処理が行われているものとする。図４の処理の部分で説明したところと相違する部分は、付加画像としてページ番号画像ではなく地紋画像を用いる点である。その他の前処理は同様の処理であるので、ここでの説明は省略する。
【００３９】
ステップＳ８０１は、以降の処理でユーザによって設定された入力画像のカラーモード及び地紋画像のカラーモードを参照する処理が行われることを示している。ステップＳ８０２において、入力画像のカラーモードがカラーであるかをと判定する。Ｓ８０２において入力画像がカラーモードである場合には、ステップＳ８０６において、カラー用紙が格納されている給紙段１０８からカラー用紙を給紙し、コントローラ１０１で入力画像と地紋の画像合成を行い、合成された画像をプリンタ１０３に送り、印刷する。すなわち、入力画像がカラーモードである場合には、地紋画像のカラーモードの判定処理を行わずに、そのままカラー用紙を用いてカラー印刷を行う。これは、入力画像をカラー出力したいと所望するユーザの意図を反映させるためである。ステップＳ８０２において、入力画像のカラーモードが白黒であった場合には、ステップＳ８０３において、ユーザインターフェースにより設定された地紋画像のカラーモードがカラーか白黒かを参照する。地紋画像のカラーモードが白黒であった場合には、ステップＳ８０５において、白黒用紙が格納されている給紙段１０９から白黒用紙を給紙し、コントローラ１０１で入力画像と地紋画像との画像合成を行い、合成された画像をプリンタ１０３に送り、印刷する。ステップＳ８０３において、地紋画像のカラーモードがカラーであった場合、すなわち、入力画像が白黒モードの際に地紋画像のカラーモードがカラーであった場合は、白黒用紙を選択して出力したいかカラー用紙を選択して出力したいかはユーザにより異なる。そこで、Ｓ８０４においてユーザによって指定されている給紙段の設定を参照する。例えば、図９に示すような、入力画像が白黒モードにおけるカラーの地紋印字時の給紙段選択画面において、ユーザによって指定された給紙段に応じて、該当する給紙段から用紙を給紙する。このような図９に示すような給紙段の設定は、予めユーザによって行われる。用紙が給紙されると、コントローラ１０１で入力画像と地紋の画像合成を行い、合成された画像をプリンタ１０３に送り、印刷する。図９では、カラー用紙が格納されている給紙段１０８を選択している例を示している。地紋は、契約書や重要な印刷書類として印刷されることが多いため、高品質なカラー用紙で印刷するためにデフォルトがカラー用紙の格納されている給紙段１０８となっている。この場合には、図１１に示すように、地紋のカラーモードがカラーであった場合にはカラー用紙が格納されている給紙段１０８からカラー用紙を給紙し印刷する。すなわち、地紋画像を第２の画像とすると、第２の画像の種別が入力画像の全体に付加される画像種別である場合には、第２の画像のカラーモードに対応する用紙を用いて印刷する。
【００４０】
上述のように地紋のカラーモードがカラーであった場合に、図９に示す給紙段選択画面において、ユーザが任意の給紙段を選択することが可能となるので、カラー地紋においてユーザ所望の用紙を選択して出力することができるようになる。また、デフォルト値としてカラー用紙を給紙するように設定されているので、操作が不慣れなユーザに対しても、印刷の目的に応じた適切な用紙を給紙することができる。
【００４１】
なお、地紋の設定とページ印字の設定が同時に行われた場合も考えられる。このような場合には、用紙全体に付加される地紋の設定を優先する。すなわち、図９に示すように、入力画像が白黒モードにおけるカラー地紋時の給紙段選択画面で設定された給紙段を選択して出力する。
【００４２】
なお以上説明した例ではページ番号合成、地紋合成処理に関して記述していたが、合成処理に関してはこれらに限るものではない。第１の画像（入力画像）と第２の画像（付加画像）とがそれぞれカラーモードを有しており、これらの画像を合成して合成画像をプリンタ１０３で出力する場合においても上述したような処理を行うことで同様の効果を得られる。
【００４３】
また、以上説明した例においては、主に情報処理装置１１０からのＰＤＬ入力画像を例に挙げて説明を行った。しかしながら、例えばコピー処理（すなわち、スキャン処理及びプリント処理）が行われる場合においても同様のことを実現することができる。コピー処理を行う場合においても、地紋やページ番号などの合成処理が可能なことは周知の技術である。コピー処理においても、スキャナ入力画像と、地紋画像やページ番号画像などの付加画像とがメモリ１０６に格納された後は、前述した図４及び図８に示すような処理が行われることになる。
【００４４】
＜その他の実施例＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2012074998.tif 000003
【図２】
2012074998.tif 000004
【図３】
2012074998.tif 000005
【図４】
2012074998.tif 000006
【図８】
2012074998.tif 000007
【図９】
2012074998.tif 000008
【図１０】
2012074998.tif 000009
【図１１】
2012074998.tif 000010
【図５】
2012074998.tif 000011
【図６】
2012074998.tif 000012
【図７】
2012074998.tif 000013